【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
ゴルフクラブヘッドにおいて、
クラウン部分およびソール部分を有する本体と、
上記本体に取り外し可能に連結され衝撃ゾーンおよび結合ゾーンを有する交換可能な打撃フェースとを有し、
上記衝撃ゾーンの厚さは３．９ｍｍ未満であり、
上記交換可能な打撃フェースは、上記衝撃ゾーン内に位置するスイートスポットをさらに有し、
上記スイートスポットは特性時間が、２３９マイクロ秒から２５７マイクロ秒の間の最大特性時間の少なくとも９９％である、上記ゴルフクラブヘッドの前面打撃表面の領域として定義され、
上記スイートスポットが上記前面打撃表面の６％より大きく、
上記ゴルフクラブヘッドが３５０ｃｃより大きな体積を有することを特徴とするゴルフクラブヘッド。
【請求項２】
ゴルフクラブヘッドにおいて、
クラウン部分、ソール部分、および少なくとも１つのネジ井戸を有する本体と、
上記本体に取り外し可能に連結され衝撃ゾーン、結合ゾーンおよび少なくとも１つのネジ受け口を有する交換可能な打撃フェースとを有し、
上記交換可能な打撃フェースは、上記少なくとも１つのネジ井戸および上記少なくとも１つのネジ受け口に係合する少なくとも１つのネジを用いて、上記本体に結合され、
上記衝撃ゾーンの厚さは３．９ｍｍ未満であり、
上記ゴルフクラブヘッドが３５０ｃｃより大きな体積を有することを特徴とするゴルフクラブヘッド。
【請求項３】
ゴルフクラブヘッドにおいて、
クラウン部分、ソール部分、および少なくとも１つのネジ井戸を有する本体と、
上記本体に取り外し可能に連結され衝撃ゾーン、結合ゾーンおよび少なくとも１つのネジ受け口を有する交換可能な打撃フェースとを有し、
上記交換可能な打撃フェースは、上記少なくとも１つのネジ井戸および上記少なくとも１つのネジ受け口に係合する少なくとも１つのネジを用いて、上記本体に結合され、
上記交換可能な打撃フェースは、特性時間が、２３９マイクロ秒から２５７マイクロ秒の間の最大特性時間の少なくとも９９％である、上記ゴルフクラブヘッドの前面打撃表面の領域として定義される、スイートスポットを有し、
上記スイートスポットが上記前面打撃表面の６％より大きく、
上記ゴルフクラブヘッドは、３５００ヘルツよりおおきな主たる第１モード周波数を有することを特徴とするゴルフクラブヘッド。
【手続補正２】
【補正対象書類名】明細書
【補正対象項目名】００６４
【補正方法】変更
【補正の内容】
【００６４】
以上は、この発明の例示の実施例に関するものであり、以下の特許請求の範囲で示される発明の範囲および程度を逸脱することなく修正を行えることはもちろんであることに留意されたい。
以下、この発明の技術的特徴を列挙する。
［技術的特徴１］
ゴルフクラブヘッドにおいて、
クラウン部分およびソール部分を有する本体と、
上記本体に取り外し可能に連結され衝撃ゾーンおよび結合ゾーンを有する交換可能な打撃フェースとを有し、
上記衝撃ゾーンの厚さは３．９ｍｍ未満であり、
上記交換可能な打撃フェースは、上記衝撃ゾーン内に位置するスイートスポットをさらに有し、
上記スイートスポットは特性時間が、２３９マイクロ秒から２５７マイクロ秒の間の最大特性時間の少なくとも９９％である、上記ゴルフクラブヘッドの前面打撃表面の領域として定義され、
上記スイートスポットが上記前面打撃表面の６％より大きく、
上記ゴルフクラブヘッドが３５０ｃｃより大きな体積を有することを特徴とするゴルフクラブヘッド。
［技術的特徴２］
振動減衰材料が上記交換可能な打撃フェースと上記本体との間に介挿される技術的特徴１記載のゴルフクラブヘッド。
［技術的特徴３］
上記交換可能な打撃フェースが上記本体に少なくとも１つのネジを用いて結合される技術的特徴２記載のゴルフクラブヘッド。
［技術的特徴４］
上記交換可能な打撃フェースはさらに少なくとも１つのネジ受け口を有して上記少なくとも１つのネジの末端と係合する技術的特徴３記載のゴルフクラブヘッド。
［技術的特徴５］
上記本体は少なくとも１つのネジ井戸を有して上記少なくとの１つのネジの近接端と係合する技術的特徴４記載のゴルフクラブヘッド。
［技術的特徴６］
上記少なくとも１つのネジは上記打撃フェースの結合ゾーンを上記本体の角度付けられた部分へと押して上記交換可能な打撃フェースを上記本体に適切に固着する技術的特徴５記載のゴルフクラブヘッド。
［技術的特徴７］
上記少なくとも１つのネジは上記打撃フェースの結合ゾーンを上記本体の角度付けられた部分へと引いて上記交換可能な打撃フェースを上記本体に適切に固着する技術的特徴５記載のゴルフクラブヘッド。
［技術的特徴８］
上記少なくとも１つのネジ井戸は上記ゴルフクラブヘッドの上記ソール部分の近くに配置される技術的特徴５記載のゴルフクラブヘッド。
［技術的特徴９］
上記少なくとも１つのネジ井戸は上記ゴルフクラブヘッドの上記クラウン部分の近くにも配置される技術的特徴８記載のゴルフクラブヘッド。
［技術的特徴１０］
上記交換可能な打撃フェースは上記ゴルフクラブヘッドのシャフト軸に回転して結合される技術的特徴５記載のゴルフクラブヘッド。
［技術的特徴１１］
上記少なくとも１つのネジ井戸は上記ゴルフクラブヘッドのトウ部分の近くに配置される技術的特徴１０記載のゴルフクラブヘッド。
［技術的特徴１２］
上記主たる第１モード周波数は３５００ヘルツより大きい技術的特徴５記載のゴルフクラブヘッド。
［技術的特徴１３］
ゴルフクラブヘッドにおいて、
クラウン部分、ソール部分、および少なくとも１つのネジ井戸を有する本体と、
上記本体に取り外し可能に連結され衝撃ゾーン、結合ゾーンおよび少なくとも１つのネジ受け口を有する交換可能な打撃フェースとを有し、
上記交換可能な打撃フェースは、上記少なくとも１つのネジ井戸および上記少なくとも１つのネジ受け口に係合する少なくとも１つのネジを用いて、上記本体に結合され、
上記衝撃ゾーンの厚さは３．９ｍｍ未満であり、
上記ゴルフクラブヘッドが３５０ｃｃより大きな体積を有することを特徴とするゴルフクラブヘッド。
［技術的特徴１４］
振動減衰材料が上記交換可能な打撃フェースと上記本体との間に介挿される技術的特徴１３記載のゴルフクラブヘッド。
［技術的特徴１５］
上記少なくとも１つのネジは上記打撃フェースの結合ゾーンを上記本体の角度付けられた部分へと押して上記交換可能な打撃フェースを上記本体に適切に固着する技術的特徴１４記載のゴルフクラブヘッド。
［技術的特徴１６］
上記少なくとも１つのネジは上記打撃フェースの結合ゾーンを上記本体の角度付けられた部分へと引いて上記交換可能な打撃フェースを上記本体に適切に固着する技術的特徴１４記載のゴルフクラブヘッド。
［技術的特徴１７］
上記交換可能な打撃フェースは上記ゴルフクラブヘッドのシャフト軸に回転して結合される技術的特徴１４記載のゴルフクラブヘッド。
［技術的特徴１８］
上記少なくとも１つのネジ井戸は上記ゴルフクラブヘッドのトウ部分の近くに配置される技術的特徴１７記載のゴルフクラブヘッド。
［技術的特徴１９］
上記主たる第１モード周波数は３５００ヘルツより大きい技術的特徴１４記載のゴルフクラブヘッド。
［技術的特徴２０］
ゴルフクラブヘッドにおいて、
クラウン部分、ソール部分、および少なくとも１つのネジ井戸を有する本体と、
上記本体に取り外し可能に連結され衝撃ゾーン、結合ゾーンおよび少なくとも１つのネジ受け口を有する交換可能な打撃フェースとを有し、
上記交換可能な打撃フェースは、上記少なくとも１つのネジ井戸および上記少なくとも１つのネジ受け口に係合する少なくとも１つのネジを用いて、上記本体に結合され、
上記交換可能な打撃フェースは、特性時間が、２３９マイクロ秒から２５７マイクロ秒の間の最大特性時間の少なくとも９９％である、上記ゴルフクラブヘッドの前面打撃表面の領域として定義される、スイートスポットを有し、
上記スイートスポットが上記前面打撃表面の６％より大きく、
上記ゴルフクラブヘッドは、３５００ヘルツよりおおきな主たる第１モード周波数を有することを特徴とするゴルフクラブヘッド。
［技術的特徴２１］
上記交換可能な打撃フェースは上記ゴルフクラブヘッドのシャフト軸に回転して結合される技術的特徴２０記載のゴルフクラブヘッド。
［技術的特徴２２］
上記少なくとも１つのネジ井戸は上記ゴルフクラブヘッドのトウ部分の近くに配置される技術的特徴２１記載のゴルフクラブヘッド。